(57)【要約】【課題】会員が系列組織上の自己のランクを取引の対象として取り扱うことを可能として、系列組織に公平且つ自由に参加又は脱退することができ、また自己のランクを公平且つ規律的に他の会員に承継させることができる、系列組織的販売を管理するコンピュータシステムを提供する。【解決手段】系列組織的販売を管理するコンピュータシステム１０において、会員それぞれが位置する系列組織上でのランクがどの位置にそれぞれあるのかを示すランク位置情報を記録するためのランク位置情報記録部７５と、販売要望受付部５１での販売要望情報の受け付けに従って、ランク位置情報記録部７５が記録する、会員Ｍ３のランク位置情報を参照して、会員Ｍ３が位置するランクの経済的価値を決定するためのランク価値決定部６０と、を有する。【選択図】図４
2019003246.tif 000002
【特許請求の範囲】
【請求項１】
系列組織を構成する会員それぞれが、前記系列組織上で前記会員の上位のランクに位置する直上の会員から商品又はサービスを購買した際、前記商品又は前記サービスの取引に伴う所定の経済的価値を、前記直上の会員を含む前記会員の上位に属する会員それぞれに分配するための、系列組織的販売を管理するコンピュータシステムであって、
前記会員それぞれが位置する前記系列組織上でのランクがどの位置にそれぞれあるのかを示すランク位置情報を記録するためのランク位置情報記録部と、
前記会員それぞれのうち第１の会員の端末装置を通じて、前記第１の会員が位置するランクの販売要望を示す販売要望情報を受け付けるための販売要望受付部と、
前記会員それぞれのうち前記第１の会員以外の第２の会員の端末装置を通じて、前記第２の会員以外の会員が位置するランクの購買要望を示す購買要望情報を受け付けるための購買要望受付部と、
前記販売要望受付部での前記販売要望情報の受け付けに従って、前記ランク位置情報記録部が記録する、前記第１の会員の前記ランク位置情報を参照して、前記第１の会員が位置するランクの経済的価値を決定するためのランク価値決定部と、
前記購買要望受付部での前記購買要望情報の受け付けに従って、前記ランク価値決定部が決定する、前記第１の会員が位置するランクの前記経済的価値を、前記第２の会員の端末装置に提示するためのランク価値提示部と、
前記第２の会員の端末装置を通じて、前記ランク価値提示部が提示する、前記第１の会員が位置するランクの前記経済的価値に対して支払いを受け付けるための支払受付部と、を有する
ことを特徴とする、系列組織的販売を管理するコンピュータシステム。
【請求項２】
前記会員それぞれに対し、その自己のランクに位置可能な期間を設定し、その残存期間を算出するための残存期間算出部をさらに有し、
前記ランク価値決定部は、前記残存期間算出部が算出する、前記第１の会員の前記残存期間も含めて参照して、前記第１の会員が位置するランクの前記経済的価値を決定する
ことを特徴とする、請求項１に記載の系列組織的販売を管理するコンピュータシステム。
【請求項３】
前記会員それぞれに対し、前記商品又は前記サービスの購買の取引履歴、及び分配された前記所定の経済的価値の分配履歴を記録する取引履歴記録部をさらに有し、
前記ランク価値決定部は、前記取引履歴記録部が記録する前記第１の会員の前記取引履歴及び前記分配履歴も含めて参照して、前記第１の会員が位置するランクの前記経済的価値を決定する
ことを特徴とする、請求項１又は２に記載の系列組織的販売を管理するコンピュータシステム。
【請求項４】
前記ランク価値決定部は、前記購買要望受付部で受け付けた前記第２の会員の受付人数も含めて参照して、前記第１の会員が位置するランクの前記経済的価値を決定する
ことを特徴とする、請求項１〜３のいずれか１つに記載の系列組織的販売を管理するコンピュータシステム。
【請求項５】
前記購買要望情報は、前記購買要望受付部に対し前記第２の会員が、同時期に互いに異なる位置にある複数のランクの購買要望を示している情報も含み、
前記ランク価値決定部は、前記購買要望情報での前記第２の会員が購買要望を示す前記複数のランクの組み合わせ内容も含めて参照して、前記第１の会員が位置するランクの前記経済的価値を決定する
ことを特徴とする、請求項１〜４のいずれか１つに記載の系列組織的販売を管理するコンピュータシステム。
【発明の詳細な説明】
【技術分野】
【０００１】
本発明は、系列組織的販売を管理するコンピュータシステムに関し、より詳しくは、系列組織を構成する会員の系列組織上のランクを取引可能とする、系列組織的販売を管理するコンピュータシステムに関する。
【背景技術】
【０００２】
従前より、マルチ商法は良く知られ、商取引の一形態として社会的な広がりを見せている。この種の商法は、商品又はサービスの供給者と消費者との間に介在する代理店や卸業者などを省略し、供給者と消費者を直接結びつけるものである。
【０００３】
この種の商法では、供給者と消費者の結びつきを制度的に強めるため、系列組織を構成する各会員に、他の会員への商品などの紹介並びに新規会員の獲得にインセンティブが発生するような規範が設けられる。
【０００４】
具体的には、この種の商法の販売方法において、会員は、系列組織上のその会員の１つ上位のランクに位置する直上の会員を介して商品又はサービスを購買する。また、同様に、会員はその会員の１つ下位のランクに位置する直系の会員にのみ販売する。このような取引のとき、商品などの売買で発生した利益を、購買者の会員の上位のランクに位置する直系の会員全員に分配する。このような規範を通じて、各会員は、この種の商法を通じて、他の会員への商品などの紹介並びに新規会員の獲得に対しインセンティブを得ることになる。
【０００５】
すなわち、マルチ商法では、会員による口コミの発生を期待しており、この口コミによって流通及び広告にかかるコストを削減し、その分浮いた利益を会員に還元することで、供給者及び消費者の両者の持続可能な関係を構築しようするものである。そのため、この種の商法では、会員同士の利益分配及び系列組織上のランクを公平に管理することが決定的に求められる。
【０００６】
その利益分配を公平に管理しようとするものとしては、変換係数を用い、会員が自分で売り上げた実績が適正に利益（手当）に反映して受け取れるようにしたコンピュータシステムが知られる（例えば、特許文献１参照）。また、会員が系列組織上のその会員の１つ上位のランクに位置する直系の会員以外から商品などを購買した場合には、少なくともこの直系の会員に対して所定の利益を分配するコンピュータシステムも知られる（例えば、特許文献２参照）。
【先行技術文献】
【特許文献】
【０００７】
【特許文献１】特表２０１２−５１７６３２号広報
【特許文献２】特開２００４−６２６７３号広報
【発明の概要】
【発明が解決しようとする課題】
【０００８】
ところで、この種の商法では、一般的に系列組織の構成員である会員が適切にランクに位置していない場合、すなわち系列組織上、その位置で１つでも不在の場合には、商品などの取引や利益分配ができなくなってしまう可能性があり、改善の余地があった。
【０００９】
また、ある会員の都合で系列組織を脱退しようとしたり、または他の会員にその自己のランクを承継しようとしたりする場合など、そのランクをどの会員が承継するのかが問題となり、現実的に脱退や承継が困難となることがあった。特に、そのランクの承継をどの会員にするかにあっては、会員同士で不公平感や不信感を招いてしまう可能性があり、系列組織的販売への信頼性を損なう危険性があった。
【００１０】
しかしながら、上記特許文献１に記載されたコンピュータシステムでは、公平な利益分配は期待できるものの、系列組織上の会員の不在やそのランクの承継など関しては考慮されていなかった。
【００１１】
また、上記特許文献２に記載されたコンピュータシステムでは、系列組織上で会員が不在であっても商品などの取引や利益分配が可能であるものの、ランクの承継などに関しては考慮されていなかった。
【００１２】
本発明は、前述した課題に鑑みてなされたものであり、その目的は、会員が系列組織上の自己のランクを取引の対象として取り扱うことを可能として、系列組織に公平且つ自由に参加又は脱退することができ、また自己のランクを公平且つ規律的に他の会員に承継させることができる、系列組織的販売を管理するコンピュータシステムを提供することにある。
【課題を解決するための手段】
【００１３】
本発明の上記目的は、下記の構成により達成される。
（１）系列組織を構成する会員それぞれが、前記系列組織上で前記会員の上位のランクに位置する直上の会員から商品又はサービスを購買した際、前記商品又は前記サービスの取引に伴う所定の経済的価値を、前記直上の会員を含む前記会員の上位に属する会員それぞれに分配するための、系列組織的販売を管理するコンピュータシステムであって、
前記会員それぞれが位置する前記系列組織上でのランクがどの位置にそれぞれあるのかを示すランク位置情報を記録するためのランク位置情報記録部と、
前記会員それぞれのうち第１の会員の端末装置を通じて、前記第１の会員が位置するランクの販売要望を示す販売要望情報を受け付けるための販売要望受付部と、
前記会員それぞれのうち前記第１の会員以外の第２の会員の端末装置を通じて、前記第２の会員以外の会員が位置するランクの購買要望を示す購買要望情報を受け付けるための購買要望受付部と、
前記販売要望受付部での前記販売要望情報の受け付けに従って、前記ランク位置情報記録部が記録する、前記第１の会員の前記ランク位置情報を参照して、前記第１の会員が位置するランクの経済的価値を決定するためのランク価値決定部と、
前記購買要望受付部での前記購買要望情報の受け付けに従って、前記ランク価値決定部が決定する、前記第１の会員が位置するランクの前記経済的価値を、前記第２の会員の端末装置に提示するためのランク価値提示部と、
前記第２の会員の端末装置を通じて、前記ランク価値提示部が提示する、前記第１の会員が位置するランクの前記経済的価値に対して支払いを受け付けるための支払受付部と、を有する
ことを特徴とする、系列組織的販売を管理するコンピュータシステム。
（２）前記会員それぞれに対し、その自己のランクに位置可能な期間を設定し、その残存期間を算出するための残存期間算出部をさらに有し、
前記ランク価値決定部は、前記残存期間算出部が算出する前記残存期間も含めて参照して、前記第１の会員が位置するランクの前記経済的価値を決定する
ことを特徴とする、上記（１）に記載の系列組織的販売を管理するコンピュータシステム。
（３）前記会員それぞれに対し、前記商品又は前記サービスの購買の取引履歴、及び分配された前記所定の経済的価値の分配履歴を記録する取引履歴記録部をさらに有し、
前記ランク価値決定部は、前記取引履歴記録部が記録する前記第１の会員の前記取引履歴及び前記分配履歴も含めて参照して、前記第１の会員が位置するランクの前記経済的価値を決定する
ことを特徴とする、上記（１）又は（２）の系列組織的販売を管理するコンピュータシステム。
（４）前記ランク価値決定部は、前記購買要望受付部で受け付けた前記第２の会員の受付人数も含めて参照して、前記第１の会員が位置するランクの前記経済的価値を決定する
ことを特徴とする、上記（１）〜（３）のいずれか１つの系列組織的販売を管理するコンピュータシステム。
（５）前記購買要望情報は、前記購買要望受付部に対し前記第２の会員が、同時期に互いに異なる位置にある複数のランクの購買要望を示している情報も含み、
前記ランク価値決定部は、前記購買要望情報での前記第２の会員が購買要望を示す前記複数のランクの組み合わせ内容も含めて参照して、前記第１の会員が位置するランクの前記経済的価値を決定する
ことを特徴とする、上記（１）〜（４）のいずれか１つの系列組織的販売を管理するコンピュータシステム。
【００１４】
上記（１）の構成によれば、会員それぞれが位置する系列組織上でのランクがどの位置にそれぞれあるのかを示すランク位置情報を記録するためのランク位置情報記録部と、会員のうち第１の会員の端末装置を通じて、第１の会員が位置するランクの販売要望を示す販売要望情報を受け付けるための販売要望受付部と、会員のうち第１の会員以外の第２の会員の端末装置を通じて、第２の会員以外の会員が位置するランクの購買要望を示す購買要望情報を受け付けるための購買要望受付部と、販売要望受付部での販売要望情報の受け付けに従って、ランク位置情報記録部が記録する、第１の会員のランク位置情報を参照して、第１の会員が位置するランクの経済的価値を決定するためのランク価値決定部と、購買要望受付部での購買要望情報の受け付けに従って、ランク価値決定部が決定する、第１の会員が位置するランクの経済的価値を、第２の会員の端末装置に提示するためのランク価値提示部と、第２の会員の端末装置を通じて、ランク価値提示部が提示する、第１の会員が位置するランクの経済的価値に対して支払いを受け付けるための支払受付部と、を有するため、会員が系列組織上の自己のランクを取引の対象として取り扱うことを可能として、系列組織に公平且つ自由に参加又は脱退することができ、また自己のランクを公平且つ規律的に他の会員に承継させることができる。
上記（２）の構成によれば、会員それぞれに対し、その自己のランクに位置可能な期間を設定し、その残存期間を算出するための残存期間算出部をさらに有し、ランク価値決定部は、残存期間算出部が算出する残存期間も含めて参照して、第１の会員が位置するランクの経済的価値を決定するため、系列組織に参加する会員に対し、より的確且つより公平にランクを取引可能とする。
上記（３）の構成によれば、会員それぞれに対し、商品又はサービスの購買の取引履歴、及び分配された所定の経済的価値の分配履歴を記録する取引履歴記録部をさらに有し、ランク価値決定部は、取引履歴記録部が記録する第１の会員の取引履歴及び分配履歴も含めて参照して、第１の会員が位置するランクの経済的価値を決定するため、系列組織に参加する会員に対し、より的確且つより公平にランクを取引可能とする。
上記（４）の構成によれば、ランク価値決定部は、購買要望受付部で受け付けた第２の会員の受付人数も含めて参照して、第１の会員が位置するランクの経済的価値を決定するため、系列組織に参加する会員に対し、より的確且つより公平にランクを取引可能とする。
上記（５）の構成によれば、購買要望情報は、購買要望受付部に対し第２の会員が、同時期に互いに異なる位置にある複数のランクの購買要望を示している情報も含み、ランク価値決定部は、購買要望情報での第２の会員が購買要望を示す複数のランクの組み合わせ内容も含めて参照して、第１の会員が位置するランクの経済的価値を決定するため、系列組織に参加する会員に対し、より的確且つより公平にランクを取引可能とする。
【発明の効果】
【００１５】
本発明の系列組織的販売を管理するコンピュータシステムによれば、会員それぞれが位置する系列組織上でのランクがどの位置にそれぞれあるのかを示すランク位置情報を記録するためのランク位置情報記録部と、会員のうち第１の会員の端末装置を通じて、第１の会員が位置するランクの販売要望を示す販売要望情報を受け付けるための販売要望受付部と、会員のうち第１の会員以外の第２の会員の端末装置を通じて、第２の会員以外の会員が位置するランクの購買要望を示す購買要望情報を受け付けるための購買要望受付部と、販売要望受付部での販売要望情報の受け付けに従って、ランク情報位置記録部が記録する、第１の会員のランク位置情報を参照して、第１の会員が位置するランクの経済的価値を決定するためのランク価値決定部と、購買要望受付部での購買要望情報の受け付けに従って、ランク価値決定部が決定する、第１の会員が位置するランクの経済的価値を、第２の会員の端末装置に提示するためのランク価値提示部と、第２の会員の端末装置を通じて、ランク価値提示部が提示する、第１の会員が位置するランクの経済的価値に対して支払いを受け付けるための支払受付部と、を有するため、会員が系列組織上の自己のランクを取引の対象として取り扱うことを可能として、系列組織に公平且つ自由に参加又は脱退することができ、また自己のランクを公平且つ規律的に他の会員に承継させることができる。
【００１６】
以上、本発明について簡潔に説明した。さらに、以下に説明される発明を実施するための形態（以下、「実施形態」とも言う。）を添付の図面を参照して通読することにより、本発明の詳細はさらに明確化されるだろう。
【図面の簡単な説明】
【００１７】
【図１】本発明に係る実施形態の系列組織的販売を管理するコンピュータシステムで管理する系列組織の系列構造を説明する系列組織図である。
【図２】本発明に係る実施形態の系列組織的販売を管理するコンピュータシステムを用いた販売手当の分配を説明する全体概略図である。
【図３】本発明に係る実施形態の系列組織的販売を管理するコンピュータシステムを用いたランクの取引を説明する全体概略図である。
【図４】図２及び図３に示すサーバーの基本機能を説明するブロック図である。
【図５】図４に示すデータベースの基本機能を説明するブロック図である。
【図６】本発明に係る系列組織的販売を管理するコンピュータシステムのランク取引に係る動作を説明するフロー図である。
【図７】変形例に係るランク価値決定部の基本機能を説明するブロック図である。
【発明を実施するための形態】
【００１８】
以下、本発明に係る系列組織的販売を管理するコンピュータシステムの実施形態について、図面に基づいて詳細に説明する。
【００１９】
なお、本実施形態において取り扱われる経済的価値として仮想通貨を例示して説明するが、これに限定されず、各種金券、各種クーポン券、各種引換券、各種株券など経済的価値を有する全てのものが含まれる。
【００２０】
また、本発明（本実施形態）で言う「部」とは単に物理的構成に限定されず、その構成が有する機能をプログラムなどのソフトウェアによって実現されるものも含む。また、１つの構成が有する機能が２つ以上の物理的構成によって実現されても、または２つ以上の構成の機能が例えば１つの物理的構成によって実現されていても構わない。また、本実施形態で言う「商品」には、例えば一般的な商品の他、金融商品なども含み、系列組織的販売に適する全てのものが含まれる。また、「サービス」には、タクシーの配車や情報端末装置の保守管理をはじめ、列組織的販売に適する全てのものが含まれる。また、本実施形態で言う「商品など」はサービスも含む意味で用いられる。
【００２１】
まず、図１を参照して、本実施形態の系列組織的販売を管理するコンピュータシステムにおける、商品又はサービスなどの取引に伴う仮想通貨（以下、販売手当とも言う。）の分配の算出方法について説明する。
【００２２】
図１は、本実施形態の系列組織的販売を管理するコンピュータシステムで管理する系列組織の系列構造を説明する系列組織図である。
【００２３】
なお、本実施形態の系列組織的販売を管理するコンピュータシステムでは、バイナリ方式を採用する。バイナリ方式は、２つの系列により組織を構成する方式を指す。この方式では、系列組織の数に関係なく商品などの取引に伴う販売手当の分配の算出で組織を２つに分割し、新規売上実績が少ない側の組織の売上に対し一定の比率を適用して販売手当を算出して支給する。また、本実施形態では、説明の便宜上、４次の系列組織を例示して説明するが、これに限定されず、それ以外の高次又は低次の系列組織においても本発明は適用可能である。
【００２４】
まず、本実施形態の系列組織の構造について説明する。
【００２５】
図１に示すように、本実施形態の系列組織では、１人の会員Ａ１が最上位の第１ランクに位置する。この会員Ａ１の下に２人の会員Ｂ１，Ｂ２が、第１ランクよりも１つ下位である第２ランクに位置する。これら会員Ｂ１，Ｂ２の下に２人の会員がそれぞれ属し、すなわち合計４名の会員Ｃ１〜Ｃ４が第２ランクよりも１つ下位である第３ランクに位置する。これら会員Ｃ１〜Ｃ４の下に２名の会員がそれぞれ属し、すなわち合計８名の会員Ｄ１〜Ｄ８が最下位の第４ランクに位置する。
【００２６】
本実施形態の系列組織的販売では、運用上の規範として、最上位に位置する会員Ａ１から最下位に位置する会員Ｄ１〜Ｄ８に至るまで、商品などの購買を要望する会員は自己より１つ上位のランクに位置する直系の会員から購買することになっている。そして、その会員が上位の直系の会員から商品などを、仮想通貨を用いて購買した際に、この会員の上位のランクに位置する会員は自己のランクの位置に応じて、商品などの取引に伴う販売手当を仮想通貨で受け取る。
【００２７】
次に、本実施形態での販売手当の算出方法について具体的に説明する。
【００２８】
図１に示すように、最上位の会員Ａ１は２つの系列で系列組織全体を管理する。すなわち、販売手当を算出する際には、図１に示す左側の第１系列に属する会員を１つのサブ組織、右側の第２系列に属する会員を１つのサブ組織としてそれぞれ処理する。会員Ｂ１，Ｂ２，Ｃ１〜Ｃ４についても同様に、その下位で左側及び右側に分割してサブ組織をそれぞれ構成して処理する。このように入れ子構造で系列組織を２つのサブ組織にそれぞれ分割し、新規売上実績の少ない側のグループの売上に対し、一定の比率を適用して販売手当を算出する。
なお、この一定の比率は、比率テーブル記録部（後述）７４にて事前に設定され記録される。
【００２９】
仮に一定の比率が２０％に設定されたとする。また、新規売上に関し、最下位の第４ランクに位置する会員Ｄ１〜Ｄ４の商品などの購買により新規売上が１０ずつ計上され、その一方で会員Ｄ５〜Ｄ８の商品などの購買により新規売上が１５ずつ計上されたとする。この場合には、販売手当が分配される会員は、Ｄ１〜８の上位のランクに位置する会員Ａ１，Ｂ１，Ｂ２，Ｃ１〜Ｃ４となる。
なお、図１に示す会員Ｄ１〜Ｄ８別に記載された括弧内の数字は、当該会員の売上実績を例として表す。
【００３０】
会員Ａ１に分配される販売手当については、左側のサブ組織の新規売上が４０であり、右側のサブ組織の新規売上が６０である。そのため、会員Ａ１の販売手当は、左側の新規売上の４０に対し２０％である８となる。
【００３１】
会員Ｂ１の販売手当は、左右両側のサブ組織の新規売上が２０と同じであるため、その２０に対し２０％である４となる。また、会員Ｂ２の販売手当は、左右両側のサブ組織の新規売上が３０と同じであるため、その３０に対し２０％である６となる。
【００３２】
さらに、会員Ｃ１，Ｃ２の販売手当は、左右両側のサブ組織の新規売上が１０と同じであるため、その１０に対し２０％である２となる。また、会員Ｃ３，Ｃ４の販売手当は、左右両側のサブ組織の新規売上が１５と同じであるため、その１５に対し２０％である３となる。
【００３３】
ここで、会員Ａ１，Ｂ１，Ｂ２，Ｃ１〜Ｃ４のそれぞれの販売手当を整理すると表１のようになる。表１に示すように、会員が位置するランクの高さに応じて販売手当が高くなる傾向があることが分かる。すなわち、表１は、ランク自体が経済的価値を有するものであり取引対象となり得ることを示唆する。本発明の本質的部分は、その系列組織に属する会員が自己のランクを会員間で取引可能とすることである。
【００３４】
【表１】
2019003246.tif 000003
【００３５】
図２及び図３を参照して、本実施形態のコンピュータシステムの概略構成を説明する。図２は、本実施形態の系列組織的販売を管理するコンピュータシステムを用いた販売手当の分配を説明する全体概略図である。図３は、本実施形態の系列組織的販売を管理するコンピュータシステムを用いたランクの取引を説明する全体概略図である。
【００３６】
図２及び図３に共通に示すように、本実施形態のコンピュータシステム１０は、系列組織的販売における販売手当の分配、及びランクの取引を少なくとも管理する。そして、本実施形態のコンピュータシステム１０は、本実施形態のコンピュータシステム１０の大部分の機能が実装されるサーバー２０と、このサーバー２０に対し各種情報をやり取りする会員Ｍ１，Ｍ２，Ｍ３，Ｍ４の端末装置１１，１２，１３，１４と、これら端末装置１１，１２，１３，１４間で各種情報を相互に送受信可能とするネットワーク１５と、を少なくとも有して構成される。また、会員Ｍ１，Ｍ２，Ｍ３，Ｍ４の端末装置１１，１２，１３，１４それぞれは、ネットワーク１５及びサーバー２０を介して相互に通信可能である。
【００３７】
なお、図２に示す会員Ｍ１は会員Ｍ２より上位のランクに位置しており、販売手当の受益会員であり、会員２は商品などの購買会員である。そして、図３に示す会員Ｍ３は、自己ランクの販売要望会員であり、会員Ｍ４は他者ランクの購買要望会員である。
なお、本実施形態では会員Ｍ１，Ｍ３は複数とされるが、これに限定されず単独であっても良い。
【００３８】
また、本実施形態では、会員Ｍ１，Ｍ３の端末装置としてパソコン（パーソナルコンピュータ）１１，１３が、また会員Ｍ２，Ｍ４の端末装置としてスマートフォン１２，１４が例示されるが、これに限定されない。例えば、その他、携帯電話、タブレット、ラップトップコンピュータ、ネットブック、携帯情報端末（ＰＤＡ）、ゲームデバイス、メディアプレイヤー、電子ブックなど種々に採用可能であり、ネットワーク１５に接続可能であれば情報端末装置の形態は限定されない。
【００３９】
また、ネットワーク１５は、会員Ｍ１，Ｍ２，Ｍ３，Ｍ４の端末装置１１，１２，１３，１４及びサーバー２０間で通信を可能にする、少なくとも有線又は無線の回線を含み、インターネット回線を一部又は全部含んで構成しても構わない。また、ネットワーク１５は、サーバー２０及び会員Ｍ１，Ｍ２，Ｍ３，Ｍ４の端末装置１１，１２，１３，１４の間の通信を促進するために、相互に接続して使用される、ローカルエリアネットワーク（ＬＡＮ）、ワイドエリアネットワーク（ＷＡＮ）、携帯電話ネットワーク（ＭＴＮ）、及び他の種類のネットワークを適宜含むことも可能である。
【００４０】
このように全体的に構成される本実施形態のコンピュータシステム１０は、次に説明する販売手当の分配、及びランクの取引を少なくともそれぞれ実行する。
【００４１】
［販売手当の分配］
図２に示すように、サーバー２０は、まず会員Ｍ２のスマートフォン１２の画面に商品などの各種情報を表示させ、商品などの販売取引を可能な状態とする。会員Ｍ２は、スマートフォン１２の画面に表示される商品などのうち気に入ったものがあれば、スマートフォン１２を通じて、サーバー２０に対し商品などの購買及び支払い手続きを仮想通貨で行う。サーバー２０は、会員Ｍ２の支払いを処理するとともに、この会員Ｍ２の購買に伴う販売手当を算出する。そして、サーバー２０は、販売手当の算出処理後、会員Ｍ２の上位に位置する会員Ｍ１それぞれに対し販売手当を仮想通貨で支払う。
なお、会員Ｍ１，Ｍ２それぞれは、サーバー２０に対し販売手当を常時閲覧可能である。
【００４２】
［ランクの取引］
図３に示すように、会員Ｍ３は、パソコン１３を通じて自己ランクの販売の要望を示す販売要望情報をサーバー２０に送信する。その一方で、会員Ｍ４は、他者ランクの購買の要望を示す購買要望情報をサーバー２０に送信する。サーバー２０は会員Ｍ３，Ｍ４両者の要望情報を受け取った後、会員Ｍ３のランクの仮想通貨上の価値（経済的価値）を算出する。そして、サーバー２０は、会員Ｍ３のランク価値の算出処理後、購買可能なランクとして会員Ｍ３のランク価値（価格）をスマートフォン１４の画面に提示する。会員Ｍ４は、その価格に満足すれば、スマートフォン１４を通じて、サーバー２０に対し購買及び支払い手続きを仮想通貨で行う。サーバー２０は、このランクの支払いを処理して決済するとともに、その決済に応じて会員Ｍ３に対し仮想通貨で支払う。このとき、サーバー２０は会員Ｍ３に対し管理手数料差引した額を支払う。
【００４３】
次に、図４及び図５を参照して、本実施形態のコンピュータシステムの大部分の機能を実現するサーバー２０の機能について説明する。図４は本実施形態に係るサーバーの基本機能を説明するブロック図である。図５は本実施形態に係るデータベースの基本機能を説明するブロック図である。
【００４４】
図４に示すように、サーバー２０は、各種プログラムモジュール３０，５０（後述）を実行するための制御装置２１と、各種プログラムモジュールを格納する記憶装置２２と、各種データとして複数の記録部７３，７４，７５，７６（後述）を格納するためのデータベース７０を少なくとも有して構成される。
【００４５】
制御装置２１は、記憶装置２２に格納される各種プログラムモジュール３０，５０を適宜読み込んで実行することで本実施形態に係る各種機能を実現する。
なお、制御装置２１は少なくともＣＰＵなどの演算器を有して構成される。
【００４６】
記憶装置２２は、販売手当の分配（前述）を実現するための分配取引モジュール３０と、ランクの取引（前述）を実現するためのランク取引モジュール５０と、少なくとも有する。
なお、分配取引モジュール３０及びランク取引モジュール５０は、プログラムモジュールとして構成される。
なお、記憶装置２２は少なくともＲＡＭ、ＲＯＭ、そしてハードディスクなどを有して構成される。また、制御装置２１、記憶装置２２及びデータベース７０は、バスやイントラネット回線などを通じて相互に通信可能なように構成される。
【００４７】
［分配取引モジュール］
分配取引モジュール３０は、商品などの購買や販売などの取引情報を受け付けるための取引情報受付部３１と、会員Ｍ２が商品などを購買した際に、その上位に位置する会員Ｍ１それぞれに対し販売手当を決定するための販売手当決定部４０と、この販売手当決定部４０で決定される販売手当を上位に位置する会員Ｍ１のパソコン１１それぞれに通知するための販売手当通知部３２と、を少なくとも有する（図２も合わせて参照）。
【００４８】
販売手当決定部４０は、データベース７０の会員アカウント情報記録部（後述）７３を参照して、商品などの購買の取引情報を送信した会員Ｍ２、及びこの会員Ｍ２の上位のランクに位置する会員Ｍ１を特定するための会員特定部４１と、データベース７０の比率テーブル記録部（後述）７４を参照して、販売手当を算出するための比率を読み出すための比率テーブル参照部４２と、会員特定部４１での特定の結果、会員Ｍ２の購買により計上される新規売上に対し比率を乗算して販売手当を算出するための販売手当算出部４３と、を少なくとも有する。
【００４９】
［ランク取引モジュール］
ランク取引モジュール５０は、会員Ｍ３のパソコン１３を通じて、会員Ｍ３自身が位置するランクの販売の要望要望を示す販売要望情報を受け付けるための販売要望受付部５１と、会員Ｍ４のスマートフォン１４を通じて、会員Ｍ４以外の他者が位置するランクの購買要望を示す購買要望情報を受け付けるための購買要望受付部５２と、データベース７０の会員アカウント情報記録部７３及びランク位置情報記録部７５（後述）を参照して、系列組織の会員それぞれに対し、その自己のランクに位置可能な期間を設定し、その残存期間を算出するための残存期間算出部５３と、販売要望受付部５１での販売要望情報の受け付けに従って、会員Ｍ３が位置するランクの仮想通貨上の価値（経済的価値）を決定するためのランク価値決定部６０と、購買要望受付部５２での会員Ｍ４の購買要望情報の受け付けに従って、ランク価値決定部６０が決定する会員Ｍ３のランク価値を会員Ｍ３，Ｍ４の端末装置１３，１４にそれぞれ提示するためのランク価値提示部５４と、会員Ｍ４のスマートフォン１４を通じて、ランク価値提示部５４が提示する、会員Ｍ３が位置するランク価値に対して支払いを受け付けるための支払受付部５５と、この支払受付部５５で受け付けた支払いが決済処理されたことを会員Ｍ３，Ｍ４の端末装置１３，１４それぞれに通知するための決済通知部５６と、決済処理後に会員Ｍ３が位置していたランクを会員Ｍ４に承継させるようにデータベース７０の会員アカウント情報記録部７３及びランク位置情報記録部７５を参照して、会員Ｍ３，Ｍ４のアカウント情報やランク情報を書き換え更新するための会員情報更新部５７と、決済処理後に会員Ｍ３に自己のランクの販売で得た額を仮想通貨で支払うための支払処理部５８と、を少なくとも有する（図３も合わせて参照）。
【００５０】
ランク価値決定部６０は、データベース７０の会員アカウント情報記録部７３を参照して、販売要望情報を販売要望受付部５１に送信した会員Ｍ３、及び購買要望情報を購買要望受付部５２に送信した会員Ｍ４を特定するための会員特定部６１と、会員特定部６１での特定の結果、データベース７０のランク位置情報記録部７５が記録する会員Ｍ３のランク位置情報を参照して、その結果をランク価値算出部（後述）６６に送信するためのランク位置参照部６２と、会員特定部６１での特定の結果、残存期間算出部５３が算出する、会員Ｍ３のランク残存期間を参照して、その結果をランク価値算出部６６に送信するためのランク残存期間参照部と、データベース７０の会員アカウント情報記録部７３及び取引履歴記録部（後述）７６に対し、会員Ｍ３の当該ランクの位置期間中に取引された、商品などの購買の取引履歴、及び分配された販売手当の分配履歴を参照して、その結果をランク価値算出部６６に送信するための取引履歴参照部６４と、購買要望受付部５２に対し会員Ｍ３のランクに対する購買要望情報を送信した会員Ｍ３の受付人数を参照して、その結果をランク価値算出部６６に送信するための受付人数参照部６５と、ランク位置参照部６２、ランク残存期間参照部６３、取引履歴参照部６４及び受付人数参照部６５から送信される値に基づき、会員Ｍ３が位置するランクの仮想通貨上の価値を算出するためのランク価値算出部と、を少なくとも有する。
【００５１】
図５に示すように、データベース７０は、サーバー２０の命令に応じて各種データを読み出してサーバー２０側に送信するための制御装置７１と、各種データとして複数の記録部７３，７４，７５，７６を格納する記憶装置７２と、を少なくとも有して構成される。
【００５２】
データベース７０の記録装置７２は、会員のアカウント情報を記録してデータ保持するための会員アカウント情報記録部７３と、販売手当を算出するため事前に設定される比率をテーブルデータとしてデータ保持するための比率テーブル記録部７４と、会員それぞれが位置する系列組織上（図１参照）でのランクがどの位置にそれぞれあるのかを示すランク情報を記録してデータ保持するためのランク位置情報記録部７５と、会員それぞれに対し、商品など購買の取引履歴、及び分配された経済的価値の分配履歴をデータ保持するための取引履歴記録部と、を少なくとも有する。
なお、これら記録部７３，７４，７５，７６は時系列データも含めてデータ保持する。
【００５３】
さらに図６を参照して、以上のように構成された本実施形態のコンピュータシステムのランク取引に係る動作について説明する。
図６は、本実施形態のコンピュータシステムのランク取引に係る動作を説明するフロー図である。
【００５４】
図６に示すように、まず、会員Ｍ３はパソコン１３を通じて、自己の位置するランクの販売要望を示す販売要望情報をサーバー２０に送信する（ステップＳ１）。その一方で、会員Ｍ４はスマートフォン１４を通じて、他者の会員が位置するランクの購買要望を示す購買要望情報をサーバー２０に送信する（ステップＳ２）。サーバー２０の販売要望受付部５１は、会員Ｍ３からの販売要望情報を受け付ける（ステップＳ３）。それと並行して、サーバー２０の購買要望受付部５２は、会員Ｍ４からの購買要望情報も受け付ける（ステップＳ４）。
【００５５】
ステップＳ３，Ｓ４の後、サーバー２０の会員特定部６１は、データベース７０の会員アカウント情報記録部７３を参照して、販売要望情報を販売要望受付部５１に送信した会員Ｍ３、及び購買要望情報を購買要望受付部５２に送信した会員Ｍ４を特定する（ステップＳ５）。このステップの後、サーバー２０のランク位置参照部６２は、データベース７０のランク位置情報記録部７５から会員Ｍ３のランクの位置を参照して、その結果をランク価値算出部６６に送信する（ステップＳ６）。そして、サーバー２０のランク残存期間参照部６３は、残存期間算出部５３が算出する会員Ｍ３が位置するランクの残存期間を参照して、その結果をランク価値算出部６６に送信する（ステップＳ７）。
【００５６】
さらに、サーバー２０の取引履歴参照部６４は、データベース７０の会員アカウント情報記録部７３及び取引履歴記録部７６に対し、会員Ｍ３の当該ランクの位置期間中に取引された、商品などの購買の取引履歴、及び分配された販売手当の分配履歴を参照して、その結果をランク価値算出部６６に送信する（ステップＳ８）。そして、受付人数参照部６５は、購買要望受付部５２から会員Ｍ３のランクに対する購買要望情報を送信した会員Ｍ３の受付人数を参照して、その結果をランク価値算出部６６に送信する（ステップＳ９）。
【００５７】
ステップＳ６〜Ｓ９が実行された後に、ランク価値算出部６６は、ランク位置参照部６２、ランク残存期間参照部６３、取引履歴参照部６４及び受付人数参照部６５から送信される値に基づき、会員Ｍ３が位置するランクの仮想通貨上の価値を算出する（ステップＳ１０）。すなわち、この一連のステップＳ６〜Ｓ９にて、サーバー２０のランク価値決定部６０は、会員Ｍ３のランク位置情報、ランクの残存期間、位置期間中の取引履歴や分配履歴、及び会員Ｍ３のランクに対する購買要望会員Ｍ４の受付人数を参照して、会員Ｍ３のランクの経済的価値（価格）を決定することになる。
【００５８】
なお、ランク位置情報に関しては、ランクが上位であるほど価値が高くなるように決定すれば好適である。また、ランク残存期間に関しては、残存期間が長いほど価値が高くなるように決定すれば好適である。また、位置期間中の取引履歴や分配履歴に関しては、当該会員の取引実績が高いほど価値が高くなるように決定すれば好適である。また、受付人数については、受付人数が多いほど価値が高くなるように決定すれば好適である。
【００５９】
このようにサーバー２０のランク価値決定部６０にて会員Ｍ３のランク価値が決定された後に、サーバー２０のランク価値提示部５４は、会員Ｍ３のランク価値を、会員Ｍ３，Ｍ４の端末装置１３，１４それぞれに提示する（ステップＳ１１）。会員Ｍ３，Ｍ４は、それぞれ自己の端末装置１３，１４を通じて、ランク価値に係る情報を受け取り、閲覧する（ステップＳ１２，Ｓ１３）。
なお、このとき、会員Ｍ３は、サーバー２０のランク価値決定部６０が決定した自己のランク価値に満足しない場合には、取引の途中でもキャンセル情報をサーバー２０に送信可能である（不図示）。サーバー２０は、この会員Ｍ３のキャンセル情報を受け付けて、ランク取引をキャンセル処理する。
【００６０】
そして、会員Ｍ４のうち１人が、サーバー２０のランク価値決定部６０が決定した、会員Ｍ３のランク価値に満足すれば、スマートフォン１４を通じて、サーバー２０に対し購買及び支払い手続きを仮想通貨で行う（ステップＳ１４）。サーバー２０の支払受付部５５は、会員Ｍ４のスマートフォン１４を通じて、会員Ｍ３のランク価値に対する支払いを受け付けて決済処理する（ステップＳ１５）。この決済処理後、サーバー２０の決済通知部５６は、会員Ｍ３のパソコン１３、及び支払い手続きを行った会員Ｍ４のスマートフォン１４それぞれに決済情報を通知する（ステップＳ１６）。会員Ｍ３、及び支払い手続きを行った会員Ｍ４は、それぞれの自己の端末装置１３，１４を通じて、決済情報を受け取る（ステップＳ１７，Ｓ１８）。
【００６１】
ステップＳ１６の後、サーバー２０の会員情報更新部５７は、会員Ｍ３が位置していたランクを会員Ｍ４に承継させるようにデータベース７０の会員アカウント情報記録部７３及びランク位置情報記録部７５を参照して、会員Ｍ３，Ｍ４のアカウント情報やランク情報を書き換え更新する（ステップＳ１９）。これにより、決済処理後、支払い手続きを行った会員Ｍ４は、会員Ｍ３のランクに位置することになる。
【００６２】
サーバー２０の支払部５８は、ステップＳ１９が完了したことを確認して、会員Ｍ３に自己のランクの販売で得た額を仮想通貨で支払う（ステップＳ２０）。会員Ｍ３は、パソコン１３を通じて仮想通貨としてその額を受け取る（ステップＳ２１）。
なお、このとき、サーバー２０の支払処理部５８が会員Ｍ３に支払う額は、コンピュータシステム１０の運用に係る管理手数料を指し引き後のものとされる。
【００６３】
このような一連のステップＳ１〜Ｓ２１を経ることで、ランク取引モジュール５０がサーバー２０の制御装置２１により実行され処理が終了する。
【００６４】
以上説明したように、本実施形態の系列組織的販売を管理するコンピュータシステム１０によれば、会員それぞれが位置する系列組織上でのランクがどの位置にそれぞれあるのかを示すランク位置情報を記録するためのランク位置情報記録部７５と、会員Ｍ３（会員それぞれのうち第１の会員）のパソコン（端末装置）１３を通じて、会員Ｍ３が位置するランクの販売要望を示す販売要望情報を受け付けるための販売要望受付部５１と、会員Ｍ４（会員それぞれのうち第１の会員以外の第２の会員）のスマートフォン（端末装置）１４を通じて、会員Ｍ４以外の会員が位置するランクの購買要望を示す購買要望情報を受け付けるための購買要望受付部５２と、販売要望受付部５１での販売要望情報の受け付けに従って、ランク位置情報記録部７５が記録する、会員Ｍ３のランク位置情報を参照して、会員Ｍ３が位置するランクの経済的価値を決定するためのランク価値決定部６０と、購買要望受付部５２での購買要望情報の受け付けに従って、ランク価値決定部６０が決定する、会員Ｍ３が位置するランクの経済的価値を、会員Ｍ４のスマートフォン１４に提示するためのランク価値提示部５４と、会員Ｍ４のスマートフォン１４を通じて、ランク価値提示部５４が提示する、会員Ｍ３が位置するランクの経済的価値に対して支払いを受け付けるための支払受付部５５と、を有するため、会員が系列組織上の自己のランクを取引の対象として取り扱うことを可能として、系列組織に公平且つ自由に参加又は脱退することができ、また自己のランクを公平且つ規律的に他の会員に承継させることができる。
なお、ランクが上位であるほど価値が高くなるように決定すれば好適である。
【００６５】
また、本実施形態の系列組織的販売を管理するコンピュータシステム１０によれば、会員それぞれに対し、その自己のランクに位置可能な期間を設定し、その残存期間を算出するための残存期間算出部５３をさらに有し、ランク価値決定部６０は、残存期間算出部５３が算出する、会員Ｍ３（第１の会員）の残存期間も含めて参照して、会員Ｍ３（第１の会員）が位置するランクの経済的価値を決定するため、系列組織に参加する会員に対し、より的確且つより公平にランクを取引可能とする。これにより、系列組織的販売を管理するコンピュータシステム１０の信頼性、及び安心感や魅力度をより高めて系列組織の会員増加に繋げることができる。
なお、残存期間が長いほど価値が高くなるように決定すれば好適である。
【００６６】
また、本実施形態の系列組織的販売を管理するコンピュータシステム１０によれば、会員それぞれに対し、商品又はサービスの購買の取引履歴、及び分配された所定の経済的価値の分配履歴を記録する取引履歴記録部７６をさらに有し、ランク価値決定部６０は、取引履歴記録部７６が記録する会員Ｍ３（第１の会員）の取引履歴及び分配履歴も含めて参照して、会員Ｍ３が位置するランクの経済的価値を決定するため、系列組織に参加する会員に対し、より的確且つより公平にランクを取引可能とする。
なお、当該会員の取引実績が高いほど価値が高くなるように決定すれば好適である。
【００６７】
また、本実施形態の系列組織的販売を管理するコンピュータシステム１０によれば、ランク価値決定部６０は、購買要望受付部５２で受け付けた会員Ｍ４（第２の会員）の受付人数も含めて参照して、会員Ｍ３（第１の会員）が位置するランクの経済的価値を決定するため、系列組織に参加する会員に対し、より的確且つより公平にランクを取引可能とする。
なお、受付人数が多いほど価値が高くなるように決定すれば好適である。
【００６８】
（変形例）
本実施形態の変形例として、ランク価値決定部８０は、さらに購買ランク組合せ参照部８１をさらに有して構成される。ここで、本変形例では、購買要望受付部５２で受け付ける購買要望情報は、会員Ｍ４の少なくとも１人が、同時期に互いに異なる位置にある複数のランクの購買要望を示している情報も含む。
【００６９】
そのため、購買ランク組合せ参照部８１は、購買要望受付部５２の購買要望情報を参照して、当該会員Ｍ４が、会員Ｍ３のランク以外にどのようなランクを他に要望しているのかを特定して、その結果（複数のランクの組み合わせ内容）をランク価値算出部６６に送信する。
【００７０】
本変形例によれば、購買要望情報は、購買要望受付部５２に対し会員Ｍ４（第２の会員）が、同時期に互いに異なる位置にある複数のランクの購買要望を示している情報も含み、ランク価値決定部８０は、購買要望情報での会員Ｍ４が購買要望を示す複数のランクの組み合わせ内容も含めて参照して、会員Ｍ３（第１の会員）が位置するランクの経済的価値を決定するため、系列組織に参加する会員に対し、より的確且つより公平にランクを取引可能とする。
なお、例えば、当該会員Ｍ４が購買要望を示す複数のランクが、同じサブ組織内にある場合など、そのランク価値が高くなるように決定すれば好適である。
【００７１】
以上で具体的実施形態の説明を終えるが、本発明の態様はこれら実施形態に限定されるものではなく、適宜、変形、改良などが可能である。
例えば、本実施形態のコンピュータシステム１０では、バイナリ方式を採用したがこれに限定されない。その他、マトリクス方式、ユニレベル方式、ハイブリッド方式など種々の方式を採用するのも可能である。
【符号の説明】
【００７２】
１０          コンピュータシステム
１１          パソコン（販売手当の受益会員の端末装置）
１２          スマートフォン（商品等購買会員の端末装置）
１３          パソコン（販売要望会員の端末装置）
１４          スマートフォン（購買要望会員の端末装置）
２０          サーバー（管理システムの端末装置群）
５０          ランク取引モジュール
５１          販売要望受付部
５２          購買要望受付部
５３          残存期間算出部
５４          ランク価値提示部
５５          支払受付部
６０，８０    ランク価値決定部
６１          会員特定部
６２          ランク位置参照部
６３          ランク残存期間参照部
６４          取引履歴参照部
６５          受付人数参照部
６６          ランク価格算出部
７０          データベース
７３          会員アカウント情報記録部
７５          ランク位置情報記録部
７６          取引履歴記録部
８１          購買ランク組合せ参照部
Ｍ１          上位ランクの会員
Ｍ２          下位ランクの会員
Ｍ３          自己ランクの販売要望会員
Ｍ４          他者ランクの購買要望会員
【図１】
2019003246.tif 000004
【図２】
2019003246.tif 000005
【図３】
2019003246.tif 000006
【図４】
2019003246.tif 000007
【図５】
2019003246.tif 000008
【図６】
2019003246.tif 000009
【図７】
2019003246.tif 000010